【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
適合性のアクリレートインク組成物のセットであって、
第１の顔料を含む第１のアクリレートインク組成物と；
第２の顔料を含む第２のアクリレートインク組成物とを含み、
前記アクリレートインク組成物は、それぞれ、他方の前記アクリレート組成物と適合性であり、
前記アクリレートインク組成物は、それぞれ、
前記アクリレートインク組成物の合計重量を基準として、３０重量％以下の顔料と、
前記アクリレートインク組成物の合計重量を基準として、１０重量％以下の分散剤と、
前記アクリレートインク組成物の合計重量を基準として、４０重量％〜５０重量％のアクリレートと、
前記アクリレートインク組成物の合計重量を基準として、１２重量％以下の光開始剤とを含み、
それぞれのアクリレートインク組成物の粘度は、３５℃で５×１０５〜３×１０７ｃＰであり、
それぞれのアクリレートインク組成物の６０秒での粘着性は、３５℃で２５〜５０ｇ−ｍであり、
前記アクリレートは、四官能ポリエステルアクリレートオリゴマーと、プロポキシル化トリメチロールプロパントリアクリレートモノマーと、前記四官能ポリエステルアクリレートオリゴマーとは異なるポリエステルアクリレートオリゴマーと、エトキシル化トリメチロールプロパントリアクリレートモノマー又は４以上の多官能のモノマーのうちの少なくとも１つとの混合物を含む、適合性のアクリレートインク組成物のセット。
【請求項２】
前記アクリレートインク組成物は、それぞれ、さらに、
前記インク組成物の合計重量を基準として、１．５重量％以下の安定化剤と；
前記インク組成物の合計重量を基準として、１２重量％以下のレオロジー調整剤とを含む、請求項１に記載の適合性のアクリレートインク組成物のセット。
【請求項３】
前記アクリレートインク組成物は、それぞれ、
１０％〜２０％の顔料と；
２％〜１０％の分散剤と；
４０％〜５０％のアクリレートと；
１０％以下の光開始剤と；
０．４％以下の安定化剤と；
１％〜５％のレオロジー調整剤とを含み、
それぞれのアクリレートインク組成物の粘度は、３５℃で８×１０５〜２×１０７ｃＰであり、
それぞれのアクリレートインク組成物の６０秒での粘着性は、３５℃で３５〜４５ｇ−ｍである、請求項２に記載の適合性のアクリレートインク組成物のセット。
【請求項４】
前記アクリレートインク組成物は、それぞれ、
１２％〜１８％の顔料と；
４％〜８％の分散剤と；
４０％〜５０％のアクリレートと；
５％〜１０％の光開始剤と；
０．１％〜０．３％の安定化剤と；
３％以下のレオロジー調整剤とから本質的になり、
それぞれのアクリレートインク組成物の粘度は、３５℃で１×１０６〜１×１０７ｃＰであり、
それぞれのアクリレートインク組成物の６０秒での粘着性は、３５℃で約４０ｇ−ｍである、請求項２に記載の適合性のアクリレートインク組成物のセット。
【請求項５】
前記光開始剤は、遊離ラジカル光開始剤である、請求項４に記載の適合性のアクリレートインク組成物のセット。
【請求項６】
前記第１の顔料は、シアン顔料、マゼンタ顔料およびイエロー顔料のいずれかである、請求項１に記載のインク組成物のセット。
【請求項７】
前記第２の顔料が黒色顔料である、請求項２に記載のインク組成物のセット。
【請求項８】
第３の顔料を含む第３のアクリレートインク組成物と；
第４の顔料を含む第４のアクリレートインク組成物とをさらに含み、
前記第１の顔料がシアン顔料であり、前記第２の顔料がマゼンタ顔料であり、前記第３の顔料がイエロー顔料であり、前記第４の顔料が黒色顔料であり、
前記第１、第２、第３および第４のアクリレートインク組成物は、互いに共混和性である、請求項１に記載のインク組成物のセット。
【請求項９】
適合性は、前記アクリレートインク組成物の共混和性及び共分散性によって特徴付けられる、請求項１に記載のインク組成物のセット。
【請求項１０】
前記四官能ポリエステルアクリレートオリゴマーとは異なるポリエステルアクリレートオリゴマーは、高粘性二官能アクリレート化ポリエステルオリゴマーを含む、請求項１に記載のインク組成物のセット。
【請求項１１】
適合性のアクリレートインク組成物のセットであって、
第１の顔料を含む第１のアクリレートインク組成物と；
第２の顔料を含む第２のアクリレートインク組成物とを含み、
前記アクリレートインク組成物は、それぞれ、
前記アクリレートインク組成物の合計重量を基準として、３０重量％以下の顔料と、
前記アクリレートインク組成物の合計重量を基準として、１０重量％以下の分散剤と、
前記アクリレートインク組成物の合計重量を基準として、４０重量％〜５０重量％のアクリレートと、
前記アクリレートインク組成物の合計重量を基準として、１２重量％以下の光開始剤と、を含み、
それぞれのアクリレートインク組成物の粘度は、３５℃で５×１０５〜３×１０７ｃＰであり、
それぞれのアクリレートインク組成物の６０秒での粘着性は、３５℃で２５〜５０ｇ−ｍであり、
前記アクリレートは、四官能ポリエステルアクリレートオリゴマーと、プロポキシル化トリメチロールプロパントリアクリレートモノマーと、前記四官能ポリエステルアクリレートオリゴマーとは異なるポリエステルアクリレートオリゴマーとの混合物からなる、適法性のアクリレートインク組成物のセット。
【請求項１２】
前記四官能ポリエステルアクリレートオリゴマーとは異なる前記ポリエステルアクリレートオリゴマーは、高粘性二官能アクリレート化ポリエステルオリゴマーを含む、請求項１１に記載のインク組成物のセット。
【請求項１３】
適合性のアクリレートインク組成物のセットであって、
第１の顔料を含む第１のアクリレートインク組成物と；
第２の顔料を含む第２のアクリレートインク組成物とを含み、
前記アクリレートインク組成物は、それぞれ、前記他方のアクリレート組成物と適合性であり、
前記アクリレートインク組成物は、それぞれ、
前記アクリレートインク組成物の合計重量を基準として、３０重量％以下の顔料と、
前記アクリレートインク組成物の合計重量を基準として、１０重量％以下の分散剤と、
前記アクリレートインク組成物の合計重量を基準として、４０重量％〜８０重量％のアクリレートと、
前記アクリレートインク組成物の合計重量を基準として、１２重量％以下の光開始剤と、を含み、
それぞれのアクリレートインク組成物の粘度は、３５℃で５×１０５〜３×１０７ｃＰであり、
それぞれのアクリレートインク組成物の６０秒での粘着性は、３５℃で２５〜５０ｇ−ｍであり、
前記アクリレートは、四官能ポリエステルアクリレートオリゴマーと、エトキシル化トリメチロールプロパントリアクリレートモノマーと、前記四官能ポリエステルアクリレートオリゴマーとは異なるポリエステルアクリレートオリゴマーと、エトキシル化トリメチロールプロパントリアクリレートモノマー又は４以上の多官能のモノマーのうちの少なくとも１つとの混合物を含む、適法性のアクリレートインク組成物のセット。
【請求項１４】
前記アクリレートは、前記四官能ポリエステルアクリレートオリゴマーと、前記エトキシル化トリメチロールプロパントリアクリレートモノマーと、前記四官能ポリエステルアクリレートオリゴマーとは異なるポリエステルアクリレートオリゴマーとの混合物からなる、請求項１３のインク組成物のセット。
【請求項１５】
前記アクリレートインク組成物は、それぞれ、前記アクリレートインク組成物の合計重量を基準として、７０重量％〜８０重量％のアクリレートを含む、請求項１３に記載のインク組成物のセット。
【請求項１６】
前記アクリレートインク組成物は、それぞれ、前記アクリレートインク組成物の合計重量を基準として、４０重量％〜５０重量％のアクリレートを含む、請求項１３に記載のインク組成物のセット。
【請求項１７】
前記アクリレートインク組成物は、それぞれ、お互いに相分離していない、請求項１３に記載のインク組成物のセット。
【請求項１８】
前記四官能ポリエステルアクリレートオリゴマーと異なる前記ポリエステルアクリレートオリゴマーは、高粘性二官能アクリレート化ポリエステルオリゴマーを含む、請求項１３に記載のインク組成物のセット。